(57)【要約】【課題】水道管等の管路内に容易に取り付けることができ、使用場所の状況に応じて適切な節水流量を流出させることができ、また水圧変化に対応して安定した流量での節水状態を保つことができ、更に節水状態でもまとまった水流で適当な流速を保持でき、使用感のよい節水器具の提供を課題とする。【解決手段】節水するために水道管等における管路内に配置される節水器具であって、水管接続部内に差し込まれる水管の差込端部に対して係止するための係止部１２と、該係止部１２による係止によって前記水管の差込端部内に配置される流量調整部２０とを少なくとも有し、該流量調整部２０は流量調整用の流路２２を構成すると共に該流量調整用の流路２２内に流量調整リング２３を遊嵌してある。【選択図】        図１
2005002693.tif 000002
【特許請求の範囲】
【請求項１】
水道管等における管路内に配置されて、必要以上の流量がカラン等の端末から吐出しないように節水するための節水器具であって、水管接続部を構成する一対の水管のうち他方の水管端部内に差し込まれる水管の差込端部に対して係止するための係止部と、該係止部による係止によって前記水管の差込端部内に配置される流量調整部とを少なくとも有し、該流量調整部は流量調整用の流路を構成すると共に該流量調整用の流路内に流量調整リングを遊嵌してあることを特徴とする節水器具。
【請求項２】
水道管等における管路内に配置されて、必要以上の流量がカラン等の端末から吐出しないように節水するための節水器具であって、水管接続部を構成する一対の水管のうち他方の水管端部内に差し込まれる水管の差込端部に対して係止するための係止部と、該係止部による係止によって前記水管の差込端部内に配置される流量調整部とを少なくとも有し、該流量調整部は流量調整用の流路を構成すると共に該流量調整用の流路内に流量調整リングを遊嵌し、該流量調節リングが水圧によって流量調節用の流路内を移動されることで流路断面積を変更調整するように構成したことを特徴とする節水器具。
【請求項３】
流量調整部には、水圧により移動された流量調整リングを受ける受座が形成されており、流量調整リングが前記受座に当接することで、該流量調整リングの外側を通る水流が閉塞され、流量調整リングのリング孔を通る水流のみが流出されるように構成したことを特徴とする請求項１又は２に記載の節水器具。
【請求項４】
流量調整部には流量調整リングを嵌挿させることで該流量調整リングの姿勢を水流方向と直角な方向に安定させるための軸柱を形成していることを特徴とする請求項１〜３の何れかに記載の節水器具。
【請求項５】
流量調整部の下流に連続して、流量調整部から出てきた流水の流れを整流してまとめる整流路を形成していることを特徴とする請求項１〜４の何れかに記載の節水金具。
【請求項６】
流量調整リングは流量調整部に対して交換自在に遊嵌されていることを特徴とする請求項１〜５の何れかに記載の節水金具。
【請求項７】
流量調整部は１個の独立したユニットとしての流量調整体からなり、交換自在に取り付けられていることを特徴とする請求項１〜６の何れかに記載の節水金具。
【請求項８】
流水に接する流路内面の少なくとも一部に強力な磁力を発する磁石材料を施してあることを特徴とする請求項１〜７の何れかに記載の節水器具。
【発明の詳細な説明】
【０００１】
【発明の属する技術分野】
本発明は節水器具に関し、更に詳しくは、水道の蛇口パイプの接続部、混合栓の水管接続部、その他、水道管等の管路内に配置されて、必要以上の流量がカラン等の端末から吐出しないように節水するための節水器具に関する。
【０００２】
【従来の技術】
従来、蛇口等の水道端末においては、その端末を開口した場合、その開度に応じて吐出される水量が調節されるようになされている。
ところが、特に家庭の台所や風呂場等で使用される水量は、一般的には水栓を半分以上開けるほどの水量は必要ではなく、半開以下の状態で充分な場合がほとんどである。またホテル、病院、事務所ビル等の高層ビルでは、受水槽及び高架水槽の設置状況にもよるが、例えば水栓を同じ９０度の開度で使用した場合においても、各階毎及び各室毎で吐水量が異なっているのが現状である。給水設計の段階では最高水圧と最低水圧しか決まっておらず、施工の段階では最低水圧を厳守すれば問題がないため、実際は最低水量を調整した場所以外の全ての場所で必要以上の多い流量が吐出されてしまっている。従って、過去、何度となく渇水状況に至っても、節水を呼びかけたり、断水して強制的に水を使用できなくしたりするしか手段がなかった。
勿論、従来においても水道管等の流路の一部に取り付けて、水栓を開き過ぎても流量が出過ぎないようにして普段から節水ができるようにするための節水器具は提供されていた。
【０００３】
【発明が解決しようとする課題】
しかしながら従来提供されている節水器具は、そのほとんどが単に節水用の穴が開いただけのものであるため、単純には吐出流量を抑えることができても、水の出方がまばららになったり、またその流量調整が極めて大雑把であったり、更に水圧等の状況に応じた調整がうまくできないなど、使用場所に応じた適正な吐出流量を調整することができないものがほとんどであった。またこのため、節水器具の取り付け後における使用感が良くないなどの問題があった。
【０００４】
そこで本発明は上記従来の問題点を解消し、水道管等の管路内に容易に取り付けることができ、使用場所の状況に応じて適切な節水流量を流出させることができ、また水圧に変化が生じた場合でもそれに対応して安定した流量での節水状態を保つことができ、更に節水状態での吐水態様がまとまった水流で適当な流速を保持でき、よって使用感もよい節水器具の提供を課題とする。
【０００５】
【課題を解決するための手段】
上記課題を解決する本発明の節水器具は、水道管等における管路内に配置されて、必要以上の流量がカラン等の端末から吐出しないように節水するための節水器具であって、水管接続部を構成する一対の水管のうち他方の水管端部内に差し込まれる水管の差込端部に対して係止するための係止部と、該係止部による係止によって前記水管の差込端部内に配置される流量調整部とを少なくとも有し、該流量調整部は流量調整用の流路を構成すると共に該流量調整用の流路内に流量調整リングを遊嵌してあることを第１の特徴としている。
また本発明の節水器具は、水道管等における管路内に配置されて、必要以上の流量がカラン等の端末から吐出しないように節水するための節水器具であって、水管接続部を構成する一対の水管のうち他方の水管端部内に差し込まれる水管の差込端部に対して係止するための係止部と、該係止部による係止によって前記水管の差込端部内に配置される流量調整部とを少なくとも有し、該流量調整部は流量調整用の流路を構成すると共に該流量調整用の流路内に流量調整リングを遊嵌し、該流量調節リングが水圧によって流量調節用の流路内を移動されることで流路断面積を変更調整するように構成したことを第２の特徴としている。
また本発明の節水器具は、上記第１又は第２の特徴に加えて、流量調整部には、水圧により移動された流量調整リングを受ける受座が形成されており、流量調整リングが前記受座に当接することで、該流量調整リングの外側を通る水流が閉塞され、流量調整リングのリング孔を通る水流のみが流出されるように構成したことを第３の特徴としている。
また本発明の節水器具は、上記第１〜第３の何れかの特徴に加えて、流量調整部には流量調整リングを嵌挿させることで該流量調整リングの姿勢を水流方向と直角な方向に安定させるための軸柱を形成していることを第４の特徴としている。
また本発明の節水器具は、上記第１〜第４の何れかの特徴に加えて、流量調整部の下流に連続して、流量調整部から出てきた流水の流れを整流してまとめる整流路を形成していることを第５の特徴としている。
また本発明の節水器具は、上記第１〜第５の何れかの特徴に加えて、流量調整リングは流量調整部に対して交換自在に遊嵌されていることを第６の特徴としている。
また本発明の節水器具は、上記第１〜第６の何れかの特徴に加えて、流量調整部は１個の独立したユニットとしての流量調整体からなり、交換自在に取り付けられていることを第７の特徴としている。
また本発明の節水器具は、上記第１〜第７の何れかの特徴に加えて、流水に接する流路内面の少なくとも一部に強力な磁力を発する磁石材料を施してあることを第８の特徴としている。
【０００６】
上記第１の特徴による節水器具によれば、節水器具は係止部によって、水管接続部において差し込まれる水管の接続端部を利用して取り付けられる。水管の接続端部に係止部で取り付けることで、節水器具を容易に取り付けることができる。またカラン等の端末を取り付ける際に、該端末の水管の差込端部に節水器具を取り付ければよいので便利である。
また流量調整部においては、その流量調整用の流路とそこに遊嵌される流量調整リングとの寸法関係によって、流量調整を行うことができる。即ち、予め流量調整用の流路の断面積と該断面積の一部を占有して流路断面積を減じる流量調整リングとの組み合わせを幾つか用意しておくことで、取り付け場所の条件乃至状況に応じて適当な節水ができる流路断面積をもつ節水器具を取り付けることができる。端的には、リング孔の径が異なる複数の流量調整リングを用意しておくことで流量調節が簡単に可能となる。
【０００７】
上記第２の特徴による節水器具によれば、上記第１の特徴による節水器具の場合と同様の作用効果を奏する。
加えて、流量調整部の流路内に遊嵌された流量調整リングが水圧によって移動されることで流路断面積を変更調整するように構成されているので、取り付ける場所や時間との他の状況によって変化する水圧に対して、安定した節水流量を吐出させることができる。
【０００８】
上記第３の特徴によれば、上記第１又は第２の特徴による作用効果に加えて、流量調整リングが水圧により移動されて流路調整部の受座に当接すると、該流量調整リングの外側を流れて流出していた水流が閉塞され、流量が絞られる。即ち、水圧がある程度以上に増加すると、更に水量が絞られて安定した節水流量になる。
更に流量調整リングのリング孔からのみ流出されることで、絞られて少なくなった流量がリング孔でまとめられて吐出されるので、節水状態での吐水をまとまった水流で且つ適当な流速を保持させた状態で行わせることが可能となる。よって水がまばらに流出するといったことなく、良好な使用感を保持することができる。
【０００９】
上記第４の特徴によれば、上記第１〜第３の特徴による作用効果に加えて、流量調整部に軸柱を形成して、該軸柱に流量調整リングを挿嵌させることで、流量調整リングの姿勢を水流方向と直角な方向に安定するようにさせているので、節水され、流出される流量も安定する。
【００１０】
上記第５の特徴によれば、上記第１〜第４の何れかの特徴による作用効果に加えて、流量調整部の下流に連続して整流路を形成するようにして、流量調整部から出てきた流水の流れを整流するようにしているので、節水されて少なくなった水を使いやすい状態で端末から吐出させることができる。
【００１１】
上記第６の特徴によれば、上記第１〜第５の何れかの特徴による作用効果に加えて、流量調整リングを交換自在とすることで、節水器具の使用場所や節水条件、その他の条件、状況に応じて、その条件、状況に最適な流量調整リングに取り替えることができるので、より適切な節水を行うことが可能となる。また流量調整リングは通常はゴムリングであるので、劣化した流量調整リングを取り替えたりするのに便利である。
【００１２】
上記第７の特徴によれば、上記第１〜第６の何れかの特徴による作用効果に加えて、流量調整リングを１個の独立したユニットからなる流量調整体として、交換自在に取り付けられるようにすることで、節水器具の使用場所や節水条件、その他の条件、状況に応じて、最適な流量調整体をしかも簡単に取り付け交換することができる。
【００１３】
上記第８の特徴によれば、上記第１〜第７の何れかの特徴による作用効果に加えて、節水器具に構成される流路の内面の少なくとも一部に強力な磁力を発する磁石材料を施すことで、磁力による水質改良効果を節水器具に付加して、１つの器具にて２つの作用効果を併せて発揮させることができる便利のよい器具を提供することができる。
【００１４】
【発明の実施の形態】
以下の図面を参照しながら、本発明の実施形態を更に説明する。
図１〜図６は本発明の第１の実施形態に係る節水器具に関し、図１は節水器具の縦断面図、図２は節水器具の本体の縦断面図、図３は流量調整部の縦断面図、図４は流量調整部の平面図、図５は節水器具を水道等の水管接続部に取り付けた状態を示す縦断面図、図６は節水器具をどのようなところに装着するかを例示する斜視図である。図７は本発明の第２の実施形態に係る節水器具の縦断面図である。
【００１５】
先ず図１〜図６を参照して、第１の実施形態を説明する。この第１の実施形態は、流量調整部２０を交換自在に取り付けることができるようにした節水器具である。
即ち、節水器具は器具本体１０と流量調整部２０とからなる。この流量調整部２０は、本実施形態では１個の独立したユニットとしての流量調整体を構成する。
【００１６】
前記器具本体１０は、一端に外フランジ１２を係止部として形成した筒状部１１を有している。
前記筒状部１１には、前記外フランジ１２が形成されて一端部を流入口１３として形成している。この流入口１３は、その開口を下方に向けて少し傾斜させて形成しており、流入音を軽減すると共に、水流がスムーズに流量調整部２０に流入するようにしている。
流入口１３の下流位置に、前記流量調整体としての流量調整部２０を交換自在に取り付けるための嵌合凹所１４を形成している。更にこの嵌合凹所１４の段部１４ａに連続する下流に整流路１５を形成している。整流路１５の長さは流量調整部２０から流出した水流を安定した整流に整えるに必要な長さとする。
器具本体１０は金属、プラスチックスとするが、炭、セラミックス、その他の非金属材料で作ることも可能である。
【００１７】
前記流量調整部２０は流量調整体として、前記器具本体１０の筒状部１１の嵌合凹所１４に対して着脱自在、即ち交換自在に嵌合して取り付けられる。
流量調整部２０には、短筒部２１を有しており、この短筒部２１の内孔として流量調整用流路２２が構成されている。そしてこの流路調整用流路２２内に流量調整リング２３が遊嵌されている。
流量調整部２０の短筒部２１の両端面にはそれぞれ前記流量調整リング２３が短筒部２１から脱落しないように脱落防止格子２４が形成されている。
また流量調整部２０にはその短筒部２１の内孔の中心に、前記流量調整リング２３を嵌挿させる軸柱２５が形成されている。この軸柱２５は、短筒部２１の内孔、即ち流量調整用流路２２内に遊嵌される流量調整リング２３の姿勢を、水流方向（短筒部２１内孔の中心軸方向）に対して直角な方向（図１、図３において水平方向）に安定させるために設けられる。水流方向に対して直角な方向とは、厳密に水流方向に直角の方向という意味ではなく、広い意味で水流方向に直角の方向から大きくは外れない方向という意味である。
流量調整部２０の短筒部２１、落下防止格子２４及び軸柱２５は金属、プラスチックスとするが、セラミックス、その他の非金属材料で作ることも可能である。
【００１８】
前記流量調整リング２３はリング状とし、前記流量調整用流路２２に遊嵌された状態で、図３に示すように、リング２３の外側の短筒部２１との間に生じる隙間Ｓとリング孔Ｈを通って水が流出する。
流量調整リング２３は中実リングを用いるが、中空リングを用いることも可能である。また材質としてゴム材料を用いるが、その他のプラスチックスを用いてもよい。
節水を目的とした第１の流量調整は、流量調整用流路２２とそこに遊嵌される流量調整リング２３との寸法関係によって行うことができる。即ち、端的には流量調整リング２３の断面積を調整することで、前記隙間Ｓ及びリング孔Ｈの大きさを変更調整することができ、これによって流出量を調整することができる。
よって実際には予め断面積の異なる複数種類の寸法の流量調整リング２３を設け、この複数種類の流量調整リング２３をそれぞれ遊嵌させてなる複数種類の流量調整部２０を用意しておく。そして節水器具を取り付ける際には、その節水器具を取り付ける場所的条件やその他の条件、状況に応じて、複数種類の中から適当な流量調整部２０を選び、この選んだ流量調整部２０を設けた節水器具を取り付けるようにすることで、その場所に応じた適切な節水を行うことができる。
前記流量調整用流路２２に遊嵌される流量調整リング２３は、前記短筒部２１の内壁にぴったり密着するような寸法に製作することもできる。この場合は、流量調整部２０を流れる水はそのほとんどが流量調整リング２３のリング孔Ｈを通ることになるが、リング孔Ｈの寸法を予め種々用意しておき、状況に応じたものを選べばよい。
【００１９】
前記流路調整部２０には、その短筒部２１の内孔内面に前記遊嵌された流量調整リング２３を受ける受座２６を設ける。この受座２６は、流量調整リング２３が流量調整用流路２２内を水圧によって下流側に押されて移動したときに、その移動末端部において流量調整リング２３を受ける座である。流量調整リング２３が受座２６に当接すると、該流量調整リング２３の外側の隙間Ｓを通って流出していた水流がその流出を閉塞され、その結果、水流は流量調整リング２３のリング孔Ｈを通るもののみが流出されることとなり、全体としての流量が絞られる。勿論、流量調整リング２３が完全に受座２６に当接する以前においても、流量調整リング２３が水圧によって押されて受座２６側に近づくにつれて、流量調整リング２３の外側の隙間Ｓを通って流出する水流に対する抵抗が増加し、隙間Ｓを通って流出する流量が減少される。
即ち、本発明の節水器具において、節水を目的とした第２の流量調整は、加わる水圧に応じて移動される流量調整リング２３と受座２６とによって、流量調整リング２３の外側の隙間Ｓを通って流出される水流の減量乃至閉塞によって行うことができる。この第２の流量調整は、水圧変化に応じて、その水圧が増加すると流出断面積乃至流出抵抗を増加して流量を絞り、自動的に水圧に応じた節水流量を安定して流出させるものである。
【００２０】
尚、前記受座２６は流量調整用流路２２の出口側に形成するが、流量調整部２０を上下何れの方向から器具本体１０の嵌合凹所１４に嵌合させても正常に機能するように、受座２６を流量調整用流路２２の入口側と出口側に対称にして設けてもよい。
また前記受座２６は落下防止格子２４で代用することも可能である。この場合、流量調整リング２３が水圧によって押されて落下防止格子２４に当接することで、当接していない場合と比べて大きく流量が絞られることになる。勿論、文字通りの受座２６が設けられないことで、流量調整リング２３の外側を通る水流が完全に閉塞されることはないが、流量調節の効果は発揮する。
その他、流量調整用流路２２は下流にいくにしたがって狭くなるように形成して、流量調整リング２３が水圧によって下流に移動するほど、流量調整リング２３の外側の隙間Ｓが狭くなるように構成してもよい。
【００２１】
前記流量調整部２０の短筒部２１は、その内部に流量調整リング２３を入れるために或いは交換自在に出し入れできるようにするために、図面的には示していないが、筒状部２１を２つに分離できるように構成するか、筒状部２１の一端側を蓋状或いはキャップ状にするのがよい。或いは一端側に形成される脱落防止格子２４が取り外しできるような構成にすることができる。
短筒部２１の構成として、流量調整リング２３を取り付け、取り出しができるように構成することで、流量調整リング２３そのものを流量調整部２０に対して交換自在とすることができる。この場合には、流量調整リング２３だけを交換することで、好ましい流量調整ができる節水器具を提供することができ、また劣化した流量調整リング２３を取り替えることができる。
【００２２】
節水器具の水道管等における管路内への取り付け配置の例を図５、図６を参照して説明する。
節水器具は、水管接続部Ａを構成する一対の水管１、２のうち、他方の水管２の水管端部２ａ内に差し込まれる水管１の差込端部１ａ内に配置される。この差し込まれる水管１は他方の水管２に対して径が小さく、通常において水管２に対して流路の下流に位置される。
器具本体１０は、その外フランジ１２により水管１の差込端部１ａの端面に係止され、器具本体１０の筒状部１１が水管１の差込端部１ａ内に配置された状態になる。３は袋ナット、４はパッキングである。
勿論、器具本体１０による水管１への係止は外フランジ１２に加えて、他の手段を付加することができる。
前記筒状部１１を差込端部１ａ内に配置し、前記外フランジ１２を差込端部１ａの端面に係止させる仕方は、器具本体１０乃至節水器具を取り付ける方法として非常に簡単で、容易な方法である。
【００２３】
前記節水器具が取り付けられる水管接続部Ａは、例えば図６に示すような水道の蛇口における２バルブ混合栓本体側の水管２と蛇口側の水管１の間の水管接続部Ａの他、蛇口パイプの接続部、シャワーホースの接続部、シャワーヘッドの接続部、その他、水道管の管路途中における水管接続部、カラン等を取り付けた水道端末の水管の接続部が該当する。
前記節水器具が取り付けられる水管接続部Ａは、通常において止水栓の下流に取り付けられるので、水道の元栓を閉弁することなく取り付け作業ができるメリットがある。
【００２４】
図７を参照して、本発明の第２の実施形態に係る節水器具を説明する。この第２の実施形態は、上記第１の実施形態の場合とは異なり、流量調整部２０を交換自在なユニットとはしていない。
即ち、節水器具の流量調整部２０は他の節水器具の部分と一体に形成されている。流量調整部２０そのものの構成乃至機能は上記第１の実施形態と同様である。同一の部材、部分、要素については同一の番号で示し、説明を省略する。
ただし、短筒部２１は第１の実施形態のように独立した筒ではなく、第１の実施形態における器具本体１０に相当する部分と一体的に形成されている。
【００２５】
第１の実施形態における器具本体１０に相当する部分には、図５における水管１の差込端部１ａの端面に係止されるべき外フランジ１２が形成されており、また流入口１３が形成されている。また流量調整部２０に続く下流には整流路１５が形成されている。
本実施例では、整流路１５は強力な磁力を発する磁石材料１６からなる筒体の内孔としている。筒体からなる磁石材料１６は、該磁石材料１６の保持片１７によって保持している。磁石材料１６は別体として構成したものを、保持片１７によって節水器具の一部として取り付けることができる。
流量調整リング２３は流量調整部２０に対して交換自在とすることができる。この場合は、例えば流量調整部２０の上端部を蓋のようにして、取り外すことができるように構成しておく。
前記磁石材料１６は、例えばネオジウム磁石とすることができる。磁石材料１６を施す位置は、要するに節水器具が構成する流路の内面の少なくとも一部とする。
強力な磁力を発する磁石材料１６を施すことにより、流水の水質改良の効果が期待される。
勿論、上記第１の実施形態の節水器具においても、例えば整流路１５に強力な磁力を発する磁石材料を施すなど、流路内面の少なくとも一部に磁石材料を施すようにしてもよい。
【００２６】
【発明の効果】
本発明は以上の構成、作用よりなり、請求項１に記載の節水器具によれば、節水器具をその係止部によって水管の接続端部に係止することで、節水器具を容易に取り付けることができる。またカラン等の端末を取り付ける際に、該端末の水管の差込端部に節水器具を取り付ければよいので便利である。
また請求項１に記載の節水器具によれば、流量調整部において、その流量調整用の流路とそこに遊嵌される流量調整リングとの寸法関係の異なる複数の組み合わせを予め用意しておくことで、取り付け場所の条件乃至状況に応じて適当な組み合わせからなるものを取り付けることで、どのような場所においても適切な節水を行うことができる。
更に請求項１に記載の節水器具によれば、流量調整部の流路内に遊嵌された流量調整リングが水圧によって移動されることで流路断面積を変更調整するように構成されているので、取り付ける場所や時間との他の状況によって変化する水圧に対して、安定した節水流量を吐出させることができる。
また請求項２に記載の節水器具によれば、上記請求項１に記載の構成による効果と同じ効果を奏する。
加えて、流量調整部の流路内に遊嵌された流量調整リングが水圧によって移動されることで流路断面積を変更調整するように構成されているので、取り付ける場所や時間との他の状況によって変化する水圧に対して、安定した節水流量を吐出させることができる。
また請求項３に記載の節水器具によれば、上記請求項１又は２に記載の構成による効果に加えて、水圧の変化に応じて流出させる流量を自動調節しながら安定した節水を行うことができる。
更に水圧の変化により流出量が少なくなると、その絞られて少なくなった流量を流量調整リングのリング孔を通して流出させることで、水流をまとめ且つ適当な流速を保持させて流出させることが可能となる。よって水がまばらに流出するといったことなく、良好な使用感を保持することができる。
また請求項４に記載の節水器具によれば、上記請求項１〜３の何れかに記載の構成による効果に加えて、軸柱を形成することにより、流量調整リングの姿勢を安定させることができ、安定した節水流量を流出させることができる。
また請求項５に記載の節水器具によれば、上記請求項１〜４の何れかに記載の構成による効果に加えて、流量調整部の下流に連続して整流路を形成しているので、節水されて少なくなった水を使いやすい状態で端末から吐出させることができる。
また請求項６に記載の節水器具によれば、上記請求項１〜５の何れかに記載の構成による効果に加えて、流量調整リングを交換自在とすることで、節水器具の使用場所や節水条件、その他の条件、状況に応じて、その条件、状況に最適な流量調整リングに取り替えることができ、より適切な節水を行うことが可能となる。また劣化した流量調整リングを取り替えたりするのに便利である。
また請求項７に記載の節水器具によれば、上記請求項１〜６の何れかに記載の構成による効果に加えて、流量調整リングを１個の独立したユニットからなる流量調整体として、交換自在に取り付けられるようにすることで、節水器具の使用場所や節水条件、その他の条件、状況に応じて、最適な流量調整体をしかも簡単に取り付け交換することができる。
また請求項８に記載の節水器具によれば、上記請求項１〜７の何れかに記載の構成による効果に加えて、磁力による水質改良効果を節水器具に付加して、１つの器具にて２つの作用効果を併せて発揮させることができる便利のよい器具を提供することができる。
【図面の簡単な説明】
【図１】本発明の第１の実施形態に係る節水器具の縦断面図である。
【図２】同節水器具の本体の縦断面図である。
【図３】同節水器具の流量調整部の縦断面図である。
【図４】同節水器具の流量調整部の平面図である。
【図５】同節水器具を水道等の水管接続部に取り付けた状態を示す縦断面図である。
【図６】節水器具をどのようなところに装着するかを例示する斜視図である。
【図７】本発明の第２の実施形態に係る節水器具の縦断面図である。
【符号の説明】
１０  器具本体
１１  筒状部
１２  外フランジ
１３  流入口
１４  嵌合凹所
１５  整流路
１６  磁石材料
１７  保持片
２０  流量調整部
２１  短筒部
２２  流量調整用流路
２３  流量調整リング
２４  脱落防止格子
２５  軸柱
２６  受座
Ｓ    隙間
Ｈ    リング孔
【図１】
2005002693.tif 000003
【図２】
2005002693.tif 000004
【図３】
2005002693.tif 000005
【図４】
2005002693.tif 000006
【図５】
2005002693.tif 000007
【図６】
2005002693.tif 000008
【図７】
2005002693.tif 000009